(57)【要約】【課題】本発明は高価で洗濯等も難しい絹物の帯を、雨降り時の雨水の付着を効率よく阻止することができるとともに、きゅうくつになったり、着物の袖を隠すことなくきれいに見せることができる羽織を得るにある。【解決手段】後身頃と、この後身頃に袖口が形成されるように縫い付けられた一対の前身頃と、この一対の前身頃の遊端部および後身頃の中央上部に取付けられた襟とで羽織を構成している。【選択図】  図１
2006070395.tif 000002
【特許請求の範囲】
【請求項１】
後身頃と、この後身頃に袖口が形成されるように縫い付けられた一対の前身頃と、この一対の前身頃の遊端部および後身頃の中央上部に取付けられた襟とからなることを特徴とする羽織。
【請求項２】
後身頃と、この後身頃に袖口が形成されるように縫い付けられた一対の前身頃と、この一対の前身頃の遊端部および後身頃の中央上部に着脱可能な取付具を介して取付けられた襟とからなることを特徴とする羽織。
【請求項３】
後身頃の上部と一対の前身頃の上部とは袖口側が順次下方に位置するように弧状に縫い付けられるとともに、後身頃の下端部と一対の前身頃の下端部の間には一対のスリットが形成されていることを特徴とする請求項１、２いずれかに記載の羽織。
【発明の詳細な説明】
【技術分野】
【０００１】
本発明は羽織に関する。
【背景技術】
【０００２】
従来の羽織は袖が取付けられている。
【０００３】
このため、羽織を羽織る場合、羽織の袖の内側に着物の袖を収納するため、きゅうくつになるとともに、着物のほぼ全体を覆うため、着物の美しさが隠れてしまうという欠点があった。
【特許文献１】特開２００３−６４５１９
【発明の開示】
【発明が解決しようとする課題】
【０００４】
本発明は以上のような従来の欠点に鑑み、高価で洗濯等も難しい絹物の帯を、雨降り時の雨水の付着を効率よく阻止することができるとともに、きゅうくつになったり、着物の袖を隠すことなくきれいに見せることができる羽織を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は後身頃と、この後身頃に袖口が形成されるように縫い付けられた一対の前身頃と、この一対の前身頃の遊端部および後身頃の中央上部に取付けられた襟とで羽織を構成している。
【発明の効果】
【０００７】
以上の説明から明らかなように、本発明にあっては次に列挙する効果が得られる。
【０００８】
（１）後身頃と、この後身頃に袖口が形成されるように縫い付けられた一対の前身頃と、この一対の前身頃の遊端部および後身頃の中央上部に取付けられた襟とで構成されているので、羽織ることにより従来と同様に帯に雨水が付着して帯を変色させたり、縮んだりするのを防止することができる。
【０００９】
（２）前記（１）によって、袖がないので着物の袖を外部に出すことができる。
したがって、従来のように袖の内側に着物の袖をしまいこんで、きゅうくつになったりするのを防止することができるとともに、着物の袖の美しさを隠すことなく、きれいに見せることができる。
【００１０】
（３）前記（１）によって、構造が簡単であるので、製造が容易で、安価に製造することができる。
【００１１】
（４）請求項２は前記（１）〜（３）と同様な効果が得られるとともに、容易に襟を取り替えて使用することができる。
【００１２】
（５）請求項３は前記（１）〜（３）と同様な効果が得られるとともに、着やすく、動きやすいので、着用による違和感をなくすことができ、気軽に着用することができる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は着物２の裾から約１５ｃｍ程の上部位置に下部が位置する本発明の袖なしの羽織で、この羽織１は一端部が縫着された一対の後身頃３、３と、この一対の後身頃３、３の遊端部に袖口４、４が形成され、かつ下部にスリット５、５が形成されるように縫着された一対の前身頃６、６と、この一対の前身頃６、６の遊端部および後身頃３、３の中央上部に縫着された着脱可能な取付具の一部としての面ファスナー７に着脱可能に取付けられる、着脱可能な取付具の一部としての面ファスナー７が縫着された襟８とで構成されている。
【００１５】
このように構成された羽織１は、羽織ることにより袖口４、４より着物２の袖２ａ、２ａを外部へ出すことができるとともに、従来と同様に帯９を覆うことができ、新しいファッション羽織１にできる。
着物２の袖２ａ、２ａが外に出るため、着やすいとともに、従来の袖を袖に収納してきゅうくつになったりするのを確実に防止でき、かつ着物２の袖２ａ、２ａを外部へ出すことにより、着物２の美しさを損なうのを最小限におさえることができる。  
［発明を実施するための異なる形態］
【００１６】
次に、図７ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、一対の後身頃３、３の上部と一対の前身頃６、６の上部とは袖口４、４側が順次下方に位置するように弧状に縫着するとともに、一対の前身頃６、６の中央部と一対の後身頃３、３の中央部部位とにポケット１０、１０を縫着した点で、このように構成した羽織１Ａにしても、前記本発明を実施するための最良の第１の形態と同様な作用効果が得られるとともに、より着やすくなる。
【００１８】
図１０ないし図１２に示す本発明を実施するための第３の形態において、前記本発明を実施するための第２の形態と主に異なる点は、着脱可能な取付具としてのファスナー１１を用いて襟８を着脱可能に取付けた点で、このように構成した羽織１Ｂにしても、前記本発明を実施するための第２の形態と同様な作用効果が得られる。
【００１９】
図１３および図１４に示す本発明を実施するための第４の形態において、前記本発明を実施するための第２の形態と主に異なる点は、襟８を一対の後身頃３、３の上部および一対の前身頃６、６の遊端部に縫着固定するとともに、一方の前身頃６の中央部よりも上部寄りの内側面に内ポケット１２を縫着した点で、このように構成した羽織１Ｃにしても、前記本発明を実施するための第２の形態と同様な作用効果が得られる。
【００２０】
なお、前記本発明を実施するための形態では一対の後身頃３、３を用いるものについて説明したが、本発明はこれに限らず、一枚の布地で後身頃を形成したものを用いても良い。
【産業上の利用可能性】
【００２１】
本発明は羽織を製造する産業で利用される。
【図面の簡単な説明】
【００２２】
【図１】本発明を実施するための最良の第１の形態の使用状態の正面図。
【図２】本発明を実施するための最良の第１の形態の使用状態の側面図
【図３】本発明を実施するための最良の第１の形態の正面図。
【図４】本発明を実施するための最良の第１の形態の背面図。
【図５】本発明を実施するための最良の第１の形態の襟を外した状態の正面図。
【図６】本発明を実施するための最良の第１の形態の襟の説明図。
【図７】本発明を実施するための第２の形態の使用状態の正面図。
【図８】本発明を実施するための第２の形態の正面図。
【図９】本発明を実施するための第２の形態の背面図。
【図１０】本発明を実施するための第３の形態の使用状態の正面図。
【図１１】本発明を実施するための第３の形態の正面図。
【図１２】本発明を実施するための第３の形態の襟を外した状態の説明図。
【図１３】本発明を実施するための第４の形態の使用状態の正面図。
【図１４】本発明を実施するための第４の形態の正面図。
【符号の説明】
【００２３】
１、１Ａ、１Ｂ、１Ｃ：羽織、  ２：着物、
３：後身頃、                        ４：袖口、
５：スリット、                ６：前身頃、
７：面ファスナー、                  ８：襟、
９：帯、                      １０：ポケット、
１１：ファスナー、                  １２：内ポケット。
【図１】
2006070395.tif 000003
【図２】
2006070395.tif 000004
【図３】
2006070395.tif 000005
【図４】
2006070395.tif 000006
【図５】
2006070395.tif 000007
【図６】
2006070395.tif 000008
【図７】
2006070395.tif 000009
【図８】
2006070395.tif 000010
【図９】
2006070395.tif 000011
【図１０】
2006070395.tif 000012
【図１１】
2006070395.tif 000013
【図１２】
2006070395.tif 000014
【図１３】
2006070395.tif 000015
【図１４】
2006070395.tif 000016